(57)【要約】【課題】対向する壁面間に伸縮棒を配置する際に、対向する壁面間に伸縮棒のみを配置することが可能な伸縮棒取付支持具を提供する。【解決手段】  対向する壁面ＷＳＬ，ＷＳＲ間に伸縮棒１を配置することが可能な伸縮棒取付支持具１０であって、両端部２Ｌ，２Ｒがそれぞれ壁面ＷＳＬ，ＷＳＲを押圧することで対向する壁面ＷＳＬ，ＷＳＲ間に配置される伸縮棒１の端部２Ｒを下方から支持するとともに、伸縮棒１の配置完了後には伸縮棒１の位置を移動させずに壁面ＷＳＲから取り外し可能な支持本体部１２と、壁面ＷＳＲに支持本体部１２を着脱可能に取り付ける着脱部１４を備える。【選択図】図２
0003197299.tif 000002
【実用新案登録請求の範囲】
【請求項１】
両端部がそれぞれ壁面を押圧することで対向する壁面間に配置される伸縮棒の端部を下方から支持するとともに、前記伸縮棒の配置完了後には伸縮棒の位置を移動させずに前記壁面から取り外し可能な支持本体部と、
前記壁面に前記支持本体部を着脱可能に取り付ける着脱部と、を含む伸縮棒取付支持具。
【請求項２】
前記支持本体部は、背面が前記壁面と対向する板状の壁面対向部と、前記壁面対向部の正面から突出し且つ前記伸縮棒の端部を載せる載置部と、を含み、
前記載置部に前記伸縮棒の端部の下端を載せることで、前記壁面対向部を前記壁面に取り付けた状態で前記伸縮棒の端部が壁面に直接接触する請求項１に記載した伸縮棒取付支持具。
【請求項３】
前記壁面対向部は、前記伸縮棒の端部の下端及び両側を覆う凹字形であり、
前記凹字形の内側に前記伸縮棒の端部のうち少なくとも前記下端が収まることで、前記壁面対向部を前記壁面に取り付けた状態で前記伸縮棒の端部が壁面に直接接触する請求項２に記載した伸縮棒取付支持具。
【請求項４】
前記伸縮棒の端部には、前記壁面に沿って伸びる延伸部が形成され、
前記支持本体部は、前記載置部の先端から前記伸縮棒へ向けて立ち上がる立ち上がり部をさらに含み、
前記延伸部が前記壁面と前記立ち上がり部とで挟まれた部分に差し込まれることで、前記載置部に前記伸縮棒の端部の下端を載せられる請求項２または請求項３に記載した伸縮棒取付支持具。
【請求項５】
前記支持本体部は、前記壁面対向部の正面から突出し且つ前記立ち上がり部と連続する側壁部をさらに含む請求項４に記載した伸縮棒取付支持具。
【請求項６】
前記伸縮棒は、前記両端部間に配置されて両端部と接続される伸縮部と、前記端部に形成されて端部から前記伸縮部側へ突出する補強部と、を含み、
前記立ち上がり部は、前記延伸部が前記載置部に載せられた状態で前記補強部との接触を回避するための正面切欠き部を含む請求項４または請求項５に記載した伸縮棒取付支持具。
【請求項７】
前記着脱部は、前記壁面対向部の背面に接着し、且つ水溶性を有する背面側接着層と、前記壁面に接着し、且つ水溶性を有する壁面側接着層と、前記背面側接着層と前記壁面側接着層との間に介装し、且つ水溶性を有する基材層と、を含む請求項２から請求項６のうちいずれか１項に記載した伸縮棒取付支持具。
【請求項８】
前記壁面対向部は、前記伸縮棒の端部の下端及び両側を覆う凹字形であり、
前記着脱部は、前記背面側接着層と、前記壁面側接着層と、前記基材層と、をそれぞれ二つ含み、
前記二つの背面側接着層は、それぞれ、前記凹字形のうち前記両側を覆う部分を鉛直方向に通過する仮想線よりも外側に接着されている請求項７に記載した伸縮棒取付支持具。
【請求項９】
前記支持本体部を黒色に形成した請求項１から請求項８のうちいずれか１項に記載した伸縮棒取付支持具。
【考案の詳細な説明】
【技術分野】
【０００１】
本考案は、例えば、対向する壁面間に配置される伸縮棒（突っ張り棒）の端部を下方から支持することにより、伸縮棒の配置を補助するための伸縮棒取付支持具に関する。
【背景技術】
【０００２】
対向する壁面間に配置される伸縮棒を支持するための支持部材として、例えば、特許文献１に開示されているものがある。
特許文献１に開示されている支持部材は、画鋲やピン等を用いて壁面に固定する平板の周縁から立設される掛止壁に伸縮棒の端部を載置するとともに、伸縮棒の端面で平板を壁面に押し付けて、対向する壁面間に伸縮棒を配置する構成である。
【先行技術文献】
【特許文献】
【０００３】
【特許文献１】実用新案登録第３１８２８４６号公報
【考案の概要】
【考案が解決しようとする課題】
【０００４】
しかしながら、特許文献１に記載されている技術では、対向する壁面間に伸縮棒を配置した後に、伸縮棒と壁面との間に支持部材が残る。このため、支持部材を壁面に固定する部材の変質（劣化等）により、伸縮棒が脱落する可能性があるという問題点があった。
本考案の課題は、対向する壁面間に伸縮棒を配置する際に、対向する壁面間に伸縮棒のみを配置することが可能な伸縮棒取付支持具を提供することである。
【課題を解決するための手段】
【０００５】
上記課題を解決するために、本考案の一態様に係る伸縮棒取付支持具は、両端部がそれぞれ壁面を押圧することで対向する壁面間に配置される伸縮棒の端部を下方から支持するとともに、前記伸縮棒の配置完了後には伸縮棒の位置を移動させずに前記壁面から取り外し可能な支持本体部と、
前記壁面に前記支持本体部を着脱可能に取り付ける着脱部と、を含むことを特徴とする。
【考案の効果】
【０００６】
本考案の一態様によれば、伸縮棒の配置完了後には伸縮棒の位置を移動させずに壁面から取り外し可能な支持本体部により、伸縮棒の配置時に、伸縮棒の端部を下方から支持する。このため、対向する壁面間に伸縮棒を配置する際に、対向する壁面間に伸縮棒のみを配置することが可能な伸縮棒取付支持具を提供することが可能となる。
【図面の簡単な説明】
【０００７】
【図１】本考案の第一実施形態における、壁面に取り付けた伸縮棒取付支持具により伸縮棒の一方の端部を下方から支持している状態を示す斜視図である。
【図２】図１のＩＩ線矢視図である。
【図３】図２のＩＩＩ線矢視図である。
【図４】図３のＩＶ線矢視図である。
【図５】図３のＶ線矢視図である。
【図６】図５のＶＩ線矢視図である。
【図７】図５のＶＩＩ線矢視図である。
【図８】図５のＶＩＩＩ線矢視図である。
【図９】図１のＩＸ線矢視図である。
【図１０】本考案の第一実施形態の変形例を示す図である。
【図１１】本考案の第一実施形態の変形例を示す図である。
【図１２】本考案の第一実施形態の変形例を示す図である。
【考案を実施するための形態】
【０００８】
以下の詳細な説明では、本考案の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で示す場合がある。
【０００９】
（第一実施形態）
以下、本考案の第一実施形態について、図面を参照しつつ説明する。
（構成）
図１から図９を用いて、伸縮棒１の構成と、伸縮棒取付支持具１０の構成について説明する。なお、図中では、説明のために、伸縮棒１を構成する部材同士や、伸縮棒取付支持具１０を構成する部材同士の大きさの比を、実物とは異なる比率で示す場合がある。
伸縮棒１は、両端部２がそれぞれ壁面ＷＳを押圧することで、対向する壁面ＷＳ間に配置される。なお、伸縮棒１は、「突っ張り棒」とも呼称される場合がある、公知の家具である。
【００１０】
なお、図１及び図２中では、両端部２のうち、図１中で左方に配置した端部２を「２Ｌ」と示し、図１中で右方に配置した端部２を「２Ｒ」と示す。なお、以降の説明でも、各端部２を、「端部２Ｌ」、「端部２Ｒ」と記載する場合がある。
同様に、図１及び図２中では、壁面ＷＳのうち、図１中で左方に配置した壁面ＷＳを「ＷＳＬ」と示し、図１中で右方に配置した壁面ＷＳを「ＷＳＲ」と示す。なお、以降の説明でも、各壁面ＷＳを、「壁面ＷＳＬ」、「壁面ＷＳＲ」と記載する場合がある。また、図１中では、説明のために、壁面ＷＳＬ及び壁面ＷＳＲを、仮想的に図示している。
【００１１】
また、伸縮棒１は、軸を対向する壁面ＷＳＬ，ＷＳＲ間に延在させた棒状の部材であり、伸縮部４と、延伸部６と、補強部８を備えている。
伸縮部４は、大径円筒部４ａと、小径円筒部４ｂを備えており、伸縮棒１の両端部２Ｌ，２Ｒ間に配置されて、伸縮棒１の両端部２Ｌ，２Ｒと接続されている。
大径円筒部４ａは、中空の円筒状部材であり、一方の端部が伸縮棒１の端部２Ｒを形成している。
小径円筒部４ｂは、中空の円筒状部材であり、一方の端部が伸縮棒１の端部２Ｌを形成している。
【００１２】
小径円筒部４ｂの外径は、大径円筒部４ａの内径よりも小さく、小径円筒部４ｂの他方の端部側は、大径円筒部４ａの他方の端部に形成された開口部内に配置されている。また、小径円筒部４ｂは、大径円筒部４ａに対し、伸縮棒１の軸方向に沿って相対移動可能となっている。
これにより、大径円筒部４ａの内部から突出する小径円筒部４ｂの長さを調節することで、伸縮部４及び伸縮棒１の長さを調節可能となっている。
なお、伸縮棒１には、大径円筒部４ａの内部から突出する小径円筒部４ｂの長さを調節した状態で、例えば、ビス等により形成され、大径円筒部４ａと小径円筒部４ｂが重なる部分を貫通することにより、伸縮部４及び伸縮棒１の長さを固定する部材が設けられているが、公知の技術であるため、図示及び説明は省略する。
【００１３】
また、伸縮棒１には、伸縮部４及び伸縮棒１の長さを固定した状態で、例えば、コイルばね等を用いて形成され、両端部２Ｌ，２Ｒによる壁面ＷＳＬ，ＷＳＲへの押圧力を調整（増加）させる部材が設けられているが、公知の技術であるため、図示及び説明は省略する。
延伸部６は、伸縮棒１の両端部２Ｌ，２Ｒにそれぞれ形成されており、壁面ＷＳに沿って伸びる形状に形成されている。
なお、図１及び図２中では、端部２Ｌに形成されており、壁面ＷＳＬに沿って伸びる延伸部６を「６Ｌ」と示し、端部２Ｒに形成されており、壁面ＷＳＲに沿って伸びる延伸部６を「６Ｒ」と示す。なお、以降の説明でも、各延伸部６を、「延伸部６Ｌ」、「延伸部６Ｒ」と記載する場合がある。
【００１４】
補強部８は、伸縮棒１の両端部２Ｌ，２Ｒにそれぞれ形成されており、各端部２から伸縮部４側へ突出する。
なお、図１及び図２中では、端部２Ｌに形成されている補強部８を「８Ｌ」と示し、端部２Ｒに形成されている補強部８を「８Ｒ」と示す。なお、以降の説明でも、各補強部８を、「補強部８Ｌ」、「補強部８Ｒ」と記載する場合がある。
補強部８Ｌは、端部２Ｌから小径円筒部４ｂ側へ突出している。
補強部８Ｒは、端部２Ｒから大径円筒部４ａ側へ突出している。
【００１５】
伸縮棒取付支持具１０は、壁面ＷＳに取り付けた状態で伸縮棒１の端部２を下方から支持する部材であり、支持本体部１２と、着脱部１４を備えている。なお、図３、図４、図６、図７、図８中には、説明のために、伸縮棒１、伸縮棒取付支持具１０、壁面ＷＳのうち、伸縮棒取付支持具１０の支持本体部１２のみを図示している。
なお、第一実施形態では、伸縮棒取付支持具１０を取り付ける壁面ＷＳを、対向する壁面ＷＳＬ，ＷＳＲのうち、壁面ＷＳＲのみとした場合について説明する。したがって、第一実施形態では、伸縮棒取付支持具１０が、壁面ＷＳＲに取り付けた状態で伸縮棒１の端部２Ｒのみを下方から支持する場合について説明する。
【００１６】
また、第一実施形態では、一つの伸縮棒取付支持具１０を用いて、一本のみの伸縮棒１の端部２を下方から支持する場合について説明する。
また、第一実施形態では、伸縮棒取付支持具１０の構成を、一本のみの伸縮棒１の端部２を下方から支持する構成とした場合について説明する。
支持本体部１２は、伸縮棒１の端部２Ｒを下方から支持するとともに、伸縮棒１の配置完了後には伸縮棒１の位置を移動させずに壁面ＷＳＲから取り外し可能な部材であり、壁面対向部１６と、載置部１８と、立ち上がり部２０と、側壁部２２を備えている。
【００１７】
また、支持本体部１２は、例えば、ＡＢＳ樹脂等を材料として用い、黒色に形成されている。
支持本体部１２の色を黒色とした理由は、支持本体部１２の色を、一般的な住宅の壁面ＷＳとは異なる色とするためである。したがって、支持本体部１２の色は、黒色に限定するものではなく、一般的な住宅の壁面ＷＳとは異なる色であれば、赤色等としてもよい。
また、第一実施形態では、支持本体部１２のうち壁面ＷＳＲと対向する面と反対側の面に、伸縮棒１の配置完了後に壁面ＷＳから支持本体部１２を取り外す内容のメッセージを記載したシール等を貼り付けた場合を説明する。
【００１８】
壁面対向部１６は、背面１６ａが壁面ＷＳＲと対向する平板状の部材であり、伸縮棒１の端部２Ｒの下端及び両側を覆う凹字形に形成されている。
また、壁面対向部１６には、板厚方向に貫通する四箇所の貫通孔２４が形成されている。
各貫通孔２４の内径は、例えば、画鋲等を挿通可能な値（例えば、２［ｍｍ］程度）に設定する。
なお、第一実施形態では、四箇所の貫通孔２４のうち二つ（貫通孔２４ａ，２４ｂ）が、凹字形に形成した壁面対向部１６のうち、伸縮棒１の端部２Ｒの下端を覆う部分に形成され、残りの二つ（貫通孔２４ｃ，２４ｄ）が、凹字形に形成した壁面対向部１６のうち、伸縮棒１の端部２Ｒの両側を覆う部分に形成されている場合について説明する。
【００１９】
載置部１８は、壁面対向部１６の正面１６ｂから突出しているとともに、伸縮棒１の端部２Ｒを載せる部分である。具体的に、載置部１８は、壁面対向部１６の正面１６ｂから、壁面ＷＳＲと直交する方向へ突出している。
したがって、壁面対向部１６の構成は、載置部１８に伸縮棒１の端部２Ｒの下端を載せることで、壁面対向部１６を壁面ＷＳＲに取り付けた状態で伸縮棒１の端部２Ｒが壁面ＷＳＲに直接接触する構成となっている。
さらに、壁面対向部１６の構成は、凹字形の内側に伸縮棒１の端部２Ｒのうち少なくとも下端が収まることで、壁面対向部１６を壁面ＷＳＲに取り付けた状態で伸縮棒１の端部２Ｒが壁面ＷＳＲに直接接触する構成となっている。
【００２０】
立ち上がり部２０は、載置部１８の先端から伸縮棒１へ向けて立ち上がる形状に形成されており、載置部１８と連続する形状に形成されている。
したがって、壁面対向部１６の構成は、延伸部６Ｒが壁面ＷＳＲと立ち上がり部２０とで挟まれた部分に差し込まれることで、載置部１８に伸縮棒１の端部２Ｒの下端が載せられる構成となっている。
また、立ち上がり部２０は、正面切欠き部２６を備えている。
正面切欠き部２６は、立ち上がり部２０を切り欠いた形状に形成されている。具体的に、正面切欠き部２６は、延伸部６Ｒが載置部１８に載せられた状態で補強部８Ｒとの接触を回避可能な形状に形成されている。
【００２１】
側壁部２２は、壁面対向部１６の正面１６ｂから突出しているとともに、立ち上がり部２０と連続する形状に形成されている。
着脱部１４は、支持本体部１２と壁面ＷＳＲとの間に配置された状態で、壁面ＷＳＲに支持本体部１２を着脱可能に取り付ける。
第一実施形態では、着脱部１４を、図９中に示すように、背面側接着層２８と、壁面側接着層３０と、基材層３２を備える両面テープで形成した場合について説明する。なお、図９中では、説明のために、伸縮棒１の図示を省略するとともに、支持本体部１２のうち、壁面対向部１６のみを図示している。また、図９中では、説明のために、着脱部１４の大きさ（厚さ）を誇張して図示している。
【００２２】
背面側接着層２８は、例えば、アクリル系粘着剤等の水溶性を有する材料で形成し、壁面対向部１６の背面１６ａに接着する。
壁面側接着層３０は、背面側接着層２８と同様、例えば、アクリル系粘着剤等の水溶性を有する材料で形成し、壁面ＷＳＲに接着する。
基材層３２は、背面側接着層２８と同様、例えば、ウレタンフォーム等の水溶性を有する材料で形成し、背面側接着層２８と壁面側接着層３０との間に介装する。すなわち、両面テープで形成した着脱部１４は、背面側接着層２８、基材層３２、壁面側接着層３０の順番に積層して形成されている。
【００２３】
また、第一実施形態では、着脱部１４の構成を、図５中に示すように、背面側接着層２８と、壁面側接着層３０と、基材層３２を、それぞれ、二つずつ備える構成とした場合について説明する。なお、図５中では、説明のために、伸縮棒取付支持具１０のみを図示している。
これに加え、第一実施形態では、二つの背面側接着層２８を、それぞれ、凹字形のうち端部２Ｒの両側を覆う部分を鉛直方向に通過する仮想線ＶＬよりも外側に接着した場合について説明する。
さらに、第一実施形態では、二つの背面側接着層２８を、貫通孔２４ｃ，２４ｄと重なる位置に接着した場合について説明する。
また、第一実施形態では、着脱部１４の形状を、短辺が１２［ｍｍ］で長辺が２５［ｍｍ］の長方形とし、着脱部１４の長辺を仮想線ＶＬと平行に配置した場合について説明する。
【００２４】
（伸縮棒１の配置）
次に、図１から図９を参照して、対向する壁面ＷＳＬ，ＷＳＲ間に伸縮棒１を配置する手順を説明する。
伸縮棒１を配置する際には、まず、壁面ＷＳＲのうち、伸縮棒１の端部２Ｒを取り付けたい位置に、予め、伸縮棒取付支持具１０を取り付ける。
このとき、伸縮棒１の端部２Ｒの下端を配置したい位置に下方から接するように載置部１８を配置した状態で、壁面側接着層３０を壁面ＷＳＲに接着することにより、壁面ＷＳＲに伸縮棒取付支持具１０を取り付ける。
そして、伸縮棒１の長さを対向する壁面ＷＳＬ，ＷＳＲ間の間隔以下に調節した状態で、伸縮棒１の端部２Ｒの下端を載置部１８に載せる。さらに、伸縮棒１の端部２Ｌを、壁面ＷＳＬのうち、伸縮棒１の端部２Ｌを取り付けたい位置に配置した状態で、伸縮棒１の長さを、両端部２Ｌ，２Ｒがそれぞれ壁面ＷＳを押圧する長さに調節する（伸長させる）ことで、対向する壁面ＷＳＬ，ＷＳＲ間に、伸縮棒１を配置する。
【００２５】
対向する壁面ＷＳＬ，ＷＳＲ間に伸縮棒１を配置完了後は、伸縮棒１の位置を移動させずに、支持本体部１２を壁面ＷＳＲから取り外す。これにより、伸縮棒１の配置を終了する。
ここで、第一実施形態では、上述したように、着脱部１４を、水溶性を有する両面テープで形成している。
これにより、支持本体部１２を壁面ＷＳＲから取り外した後に、例えば、壁面側接着層３０や基材層３２等、着脱部１４の一部が壁面ＷＳＲに付着した状態となった場合であっても、水分を含ませた布等で拭き取ることにより、壁面ＷＳＲから着脱部１４を取り除くことが可能である。
【００２６】
したがって、第一実施形態では、伸縮棒１の配置完了後には、伸縮棒１の位置を移動させずに、壁面ＷＳから支持本体部１２及び着脱部１４を取り外すことが可能である。
なお、例えば、延伸部６が載置部１８に載せられた状態で、補強部８と立ち上がり部２０や側壁部２２との間に隙間が形成されている場合には、支持本体部１２を壁面ＷＳＲから取り外す際に、補強部８と立ち上がり部２０や側壁部２２との間に形成されている隙間に指をかけて作業を行うことにより、支持本体部１２を壁面ＷＳＲから取り外す作業が容易となる。
【００２７】
このため、立ち上がり部２０や側壁部２２の形状を、補強部８との間に隙間が形成される形状に設定してもよい。
また、伸縮棒１の配置完了後に、両面テープで形成した着脱部１４が損傷・損失している状態の伸縮棒取付支持具１０を用いて、対向する壁面ＷＳＬ，ＷＳＲ間に伸縮棒１を配置する場合には、壁面対向部１６に形成した貫通孔２４に画鋲等を挿通させることにより、壁面ＷＳに伸縮棒取付支持具１０を取り付ける。
なお、上述した第一実施形態は、本考案の一例であり、本考案は、上述した第一実施形態に限定されることはなく、この実施形態以外の形態であっても、本考案に係る技術的思想を逸脱しない範囲であれば、設計等に応じて種々の変更が可能である。
【００２８】
（第一実施形態の効果）
第一実施形態では、以下に記載する効果を奏することが可能となる。
（１）支持本体部１２が、伸縮棒１の端部を下方から支持するとともに、伸縮棒１の配置完了後には伸縮棒１の位置を移動させずに壁面ＷＳから取り外し可能である。これに加え、着脱部１４が、壁面ＷＳに支持本体部１２を着脱可能に取り付ける。
このため、伸縮棒１の配置完了後には伸縮棒１の位置を移動させずに壁面ＷＳから取り外し可能な支持本体部１２により、伸縮棒１の配置時には、伸縮棒１の端部を下方から支持することが可能となる。
その結果、対向する壁面ＷＳＬ，ＷＳＲ間に伸縮棒１を配置する際に、対向する壁面ＷＳＬ，ＷＳＲ間に伸縮棒１のみを配置することが可能な、伸縮棒取付支持具１０を提供することが可能となる。
これにより、着脱部１４の変質（劣化等）による伸縮棒１の脱落を抑制することが可能となる。また、変質（劣化等）した着脱部１４が壁面ＷＳと強固に付着し、壁面ＷＳを形成する壁紙等が損傷することを抑制することが可能となる。
【００２９】
（２）支持本体部１２が、背面１６ａが壁面ＷＳと対向する板状の壁面対向部１６と、壁面対向部１６の正面１６ｂから突出し且つ伸縮棒１の端部２を載せる載置部１８を含む。これに加え、載置部１８に伸縮棒１の端部２の下端を載せることで、壁面対向部１６を壁面ＷＳに取り付けた状態で伸縮棒１の端部２が壁面ＷＳに直接接触する。
その結果、伸縮棒１の配置時には、載置部１８に伸縮棒１の端部２の下端を載せることで、壁面対向部１６を壁面ＷＳに取り付けた状態で、伸縮棒１の端部２を壁面ＷＳに直接接触させるとともに、伸縮棒１の端部を下方から支持することが可能となる。
【００３０】
（３）壁面対向部１６が、伸縮棒１の端部２の下端及び両側を覆う凹字形であり、凹字形の内側に伸縮棒１の端部２のうち少なくとも下端が収まることで、壁面対向部１６を壁面ＷＳに取り付けた状態で伸縮棒１の端部２が壁面ＷＳに直接接触する。
その結果、伸縮棒１の配置時には、凹字形に形成した壁面対向部１６の内側に伸縮棒１の端部２のうち少なくとも下端を収めることで、壁面対向部１６を壁面ＷＳに取り付けた状態で、伸縮棒１の端部２を壁面ＷＳに直接接触させるとともに、伸縮棒１の端部を下方から支持することが可能となる。
【００３１】
（４）伸縮棒１の端部２に、壁面ＷＳに沿って伸びる延伸部６が形成され、支持本体部１２が、載置部１８の先端から伸縮棒１へ向けて立ち上がる立ち上がり部２０をさらに含む。これに加え、延伸部６が壁面ＷＳと立ち上がり部２０とで挟まれた部分に差し込まれることで、載置部１８に伸縮棒１の端部２の下端が載せられる。
その結果、伸縮棒１の配置時には、伸縮棒１の延伸部６が壁面ＷＳと立ち上がり部２０とで挟まれた部分に差し込まれることで、壁面対向部１６を壁面ＷＳに取り付けた状態で、伸縮棒１の端部２を壁面ＷＳに直接接触させるとともに、伸縮棒１の端部を下方から支持することが可能となる。
【００３２】
（５）支持本体部１２が、壁面対向部１６の正面１６ｂから突出し且つ立ち上がり部２０と連続する側壁部２２をさらに含む。
その結果、伸縮棒１の配置時に、伸縮棒１の延伸部６が壁面ＷＳと立ち上がり部２０とで挟まれた部分に差し込まれることで、延伸部６の両側を側壁部２２で覆うことが可能となるため、伸縮棒１の変位を抑制することが可能となる。
【００３３】
（６）伸縮棒１が、両端部２Ｌ，２Ｒ間に配置されて両端部２Ｌ，２Ｒと接続される伸縮部４と、端部２に形成されて端部２から伸縮部４側へ突出する補強部８とを含む。これに加え、立ち上がり部２０が、延伸部６が載置部１８に載せられた状態で補強部８との接触を回避するための正面切欠き部２６を含む。
その結果、伸縮棒１の構成が、伸縮部４と補強部８とを備える構成であっても、伸縮棒１の配置時に、立ち上がり部２０と補強部８との接触を回避することが可能となるため、壁面対向部１６を壁面ＷＳに取り付けた状態で、伸縮棒１の端部２を壁面ＷＳに直接接触させるとともに、伸縮棒１の端部を下方から支持することが可能となる。
【００３４】
（７）着脱部１４が、壁面対向部１６の背面１６ａに接着し、且つ水溶性を有する背面側接着層２８と、壁面ＷＳに接着し、且つ水溶性を有する壁面側接着層３０と、背面側接着層２８と壁面側接着層３０との間に介装し、且つ水溶性を有する基材層３２とを含む。
このため、対向する壁面ＷＳＬ，ＷＳＲ間に伸縮棒１を配置完了後に、伸縮棒１の位置を移動させずに、支持本体部１２を壁面ＷＳＲから取り外した後に、着脱部１４の一部が壁面ＷＳＲに付着した状態となった場合であっても、水分を含ませた布等で拭き取ることにより、壁面ＷＳＲから着脱部１４を取り除くことが可能となる。
その結果、対向する壁面ＷＳＬ，ＷＳＲ間に伸縮棒１を配置完了後に、壁面ＷＳの美観が低下することを防止可能となる。
【００３５】
（８）壁面対向部１６が、伸縮棒１の端部２の下端及び両側を覆う凹字形であり、着脱部１４が、背面側接着層２８と、壁面側接着層３０と、基材層３２とをそれぞれ二つ含む。これに加え、二つの背面側接着層２８は、それぞれ、凹字形のうち両側を覆う部分を鉛直方向に通過する仮想線ＶＬよりも外側に接着されている。
その結果、着脱部１４の構成を、伸縮棒１の配置時には支持本体部１２を壁面ＷＳに取り付け、伸縮棒１の配置完了後には伸縮棒１の位置を移動させずに支持本体部１２を壁面ＷＳから取り外し可能とするために、過剰な部分を必要としない構成とすることが可能となる。
【００３６】
（９）支持本体部１２を、黒色に形成する。
このため、伸縮棒１の配置完了後に、支持本体部１２が壁面ＷＳに取り付けられた状態に対し、作業者や住民等が違和感を受けやすくなり、作業者や住民等に対し、支持本体部１２の壁面ＷＳからの取り外しを促すことが可能となる。
その結果、伸縮棒１の配置完了後に支持本体部１２が壁面ＷＳに取り付けられた状態で放置されることを、抑制することが可能となるため、着脱部１４の変質（劣化等）による伸縮棒１の脱落や、壁面ＷＳを形成する壁紙等の損傷を抑制することが可能となる。
【００３７】
（１０）支持本体部１２のうち壁面ＷＳＲと対向する面と反対側の面に、伸縮棒１の配置完了後に壁面ＷＳから支持本体部１２を取り外す内容のメッセージを記載したシール等を貼り付ける。
このため、伸縮棒１の配置完了後に、支持本体部１２が壁面ＷＳに取り付けられた状態でメッセージを視認した作業者や住民等に対し、支持本体部１２の壁面ＷＳからの取り外しを促すことが可能となる。
その結果、伸縮棒１の配置完了後に支持本体部１２が壁面ＷＳに取り付けられた状態で放置されることを、抑制することが可能となるため、着脱部１４の変質（劣化等）による伸縮棒１の脱落や、壁面ＷＳを形成する壁紙等の損傷を抑制することが可能となる。
【００３８】
（１１）壁面対向部１６に、板厚方向に貫通する貫通孔２４を形成する。
このため、伸縮棒１の配置完了後に、画鋲等を貫通孔２４に挿通させることにより、両面テープで形成した着脱部１４が損傷・損失している状態の伸縮棒取付支持具１０を用いて、対向する壁面ＷＳＬ，ＷＳＲ間に伸縮棒１を配置することが可能となる。
その結果、着脱部１４が損傷・損失している状態の伸縮棒取付支持具１０を、再利用することが可能となる。
【００３９】
（変形例）
（１）第一実施形態では、着脱部１４を、水溶性を有する両面テープで形成したが、これに限定するものではない。すなわち、着脱部１４を、例えば、吸盤で形成してもよい。
（２）第一実施形態では、壁面対向部１６を平板状の部材で形成したが、これに限定するものではない。すなわち、壁面対向部１６を、正面１６ｂから突出する突出部（突起）を有する形状に形成してもよい。この場合、支持本体部１２を壁面ＷＳから取り外す際に、壁面対向部１６に形成した突出部に指をかけて、支持本体部１２を壁面ＷＳから取り外す作業を行うことが可能となるため、支持本体部１２を壁面ＷＳから取り外す作業が容易となる。
【００４０】
（３）第一実施形態では、支持本体部１２の構成を、壁面対向部１６と、載置部１８と、立ち上がり部２０と、側壁部２２を備える構成としたが、これに限定するものではない。すなわち、例えば、図１０中に示すように、支持本体部１２の構成を、壁面対向部１６と、載置部１８を備える構成としてもよい。なお、図１０中では、説明のために、伸縮棒１の構成を簡略化して図示している。
【００４１】
（４）第一実施形態では、一つの伸縮棒取付支持具１０を用いて、一本のみの伸縮棒１の端部２を下方から支持したが、これに限定するものではない。すなわち、例えば、二つの伸縮棒取付支持具１０を用いて、平行に配列した二本の伸縮棒１の端部２を、それぞれ、支持してもよい。また、例えば、平行に配列した二本の伸縮棒１と、平行に配列した二本の伸縮棒１に支持される網棚を備える構成の家具に対し、平行に配列した二本の伸縮棒１の端部２を、それぞれ、支持してもよい。
この場合、例えば、図１１中に示すガイド部材３４を用いて、二つの伸縮棒取付支持具１０間の間隔Ｉｎｔを設定してもよい。
なお、ガイド部材３４は、例えば、紙等で形成する。また、ガイド部材３４には、例えば、図１１中に示すように、壁面対向部１６が合致する形状の空隙部３６を形成してもよい。
【００４２】
（５）第一実施形態では、伸縮棒取付支持具１０の構成を、一本のみの伸縮棒１の端部２を下方から支持する構成としたが、これに限定するものではない。すなわち、例えば、平行に配列した二本以上の伸縮棒１と、隣り合う伸縮棒１間に配置した網部（図示せず）を備えた伸縮棚（突っ張り棚）を対向する壁面ＷＳＬ，ＷＳＲ間に配置する場合には、伸縮棒取付支持具１０の構成を、例えば、図１２中に示す構成としてもよい。
図１２中に示す構成の伸縮棒取付支持具１０は、第一実施形態の伸縮棒取付支持具１０と異なり、平行に配列した二本以上の伸縮棒１に対し、全ての端部２を下方から支持可能な形状に、壁面対向部１６及び着脱部１４を形成する。
【００４３】
（６）第一実施形態では、立ち上がり部２０の構成を、載置部１８と連続する形状に形成されている構成としたが、これに限定するものではない。すなわち、例えば、立ち上がり部２０と載置部１８との間に、スリット状の空隙部を形成してもよい。
この場合、例えば、伸縮棒１を配置する際に、壁面ＷＳのうち、伸縮棒１の端部２を取り付けたい位置（端部２の下端を配置したい位置）に目印を付けた場合（マーキングした場合）に、立ち上がり部２０と載置部１８との間に形成した空隙部から、目印を視認することが可能となる。
【符号の説明】
【００４４】
１…伸縮棒、２…伸縮棒の端部（２Ｌ，２Ｒ）、４…伸縮部、４ａ…大径円筒部、４ｂ…小径円筒部、６…延伸部（６Ｌ，６Ｒ）、８…補強部（８Ｌ，８Ｒ）、１０…伸縮棒取付支持具、１２…支持本体部、１４…着脱部、１６…壁面対向部、１６ａ…背面、１６ｂ…正面、１８…載置部、２０…立ち上がり部、２２…側壁部、２４…貫通孔（２４ａ，２４ｂ，２４ｃ，２４ｄ）、２６…正面切欠き部、２８…背面側接着層、３０…壁面側接着層、３２…基材層、３４…ガイド部材、３６…空隙部、ＷＳ…壁面（ＷＳＬ，ＷＳＲ）、ＶＬ…仮想線、Ｉｎｔ…二つの伸縮棒取付支持具間の間隔
【図１】
0003197299.tif 000003
【図２】
0003197299.tif 000004
【図３】
0003197299.tif 000005
【図４】
0003197299.tif 000006
【図５】
0003197299.tif 000007
【図６】
0003197299.tif 000008
【図７】
0003197299.tif 000009
【図８】
0003197299.tif 000010
【図９】
0003197299.tif 000011
【図１０】
0003197299.tif 000012
【図１１】
0003197299.tif 000013
【図１２】
0003197299.tif 000014